(57)【要約】【課題】第三者によるメダル払い出し口から挿入される不正部材（針金）による不正行為を防止できる遊技機を提供することを目的とする。【解決手段】キャンセルシュート６０を構成する本体部６１の所定位置に、第一の阻止部材６７を設けるとともに、キャンセルシュート６０の取り付け位置と対向する前面ドアベース部に第二の阻止部材７２を設けることにより、メダル払い出し口２０を通じて挿入された不正部材が、キャンセルシュート６０を通じてメダルセレクタ５５内に侵入することを阻止する。【選択図】        図４
2007313249.tif 000002
【特許請求の範囲】
【請求項１】
メダル投入口から投入されたメダルの真偽を判別するとともに、真と判別されたメダルを排出口からメダルホッパーに排出し、偽と判別されたメダルを返却口から返却するメダルセレクタと、当該メダルセレクタの下流端に接続され、前記メダルセレクタから返却されるメダル或いはメダルホッパーから払い出されるメダルをメダル払い出し口に排出させるメダルキャンセルシュートを備えた遊技機において、
前記メダルキャンセルシュートから前記メダルセレクタに至る経路の途中には、前記メダル払い出し口を通じて挿入された不正部材が、前記経路を通じて前記メダルセレクタの内部に侵入することを阻止する阻止部材が設けられることを特徴とする遊技機。
【請求項２】
前記阻止部材は複数の阻止部材で構成され、前記複数の阻止部材のうちの一方の阻止部材は、前記メダルキャンセルシュートの内部に設けられることを特徴とする請求項１に記載の遊技機。
【請求項３】
前記複数の阻止部材のうちの他方の阻止部材は、前記遊技機の前面ドアのベース部であって、前記メダルキャンセルシュートの取り付け位置と対向するベース部に設けられることを特徴とする請求項１または２に記載の遊技機。
【請求項４】
前記阻止部材には、前記メダルセレクタから案内されたメダルの落下方向に向けて傾斜する傾斜部が設けられることを特徴とする請求項１、２または３に記載の遊技機。
【請求項５】
前記複数の阻止部材のうちの一方の阻止部材と他方の阻止部材とは、互いの配置場所が所定の間隔で上下に離隔するように配置されることを特徴とする請求項１〜４のいずれか一つに記載の遊技機。
【発明の詳細な説明】
【技術分野】
【０００１】
この発明は、遊技媒体（メダル）を用いて遊技を行なうことが可能なパチスロ機などの遊技機に関し、特に、投入される遊技媒体の真偽を判別するメダルセレクタに対する不正行為を防止できる遊技機に関する。
【背景技術】
【０００２】
従来より、メダルの投入若しくはＢＥＴボタン押下後にスタートレバーを操作して機械的回転リール（以下、リールと記載する）を回転駆動させるとともに、各リールに対応したストップボタンを押下操作することによって各リールを停止させ、リール表示窓内に停止された図柄の組合せに応じてメダルを払い出すパチスロ機と呼ばれる遊技機が知られている。
【０００３】
このようなパチスロ機の場合、メダル投入口から１〜３枚のメダルが投入されスタートレバーが操作されると、リールを回転駆動させて複数の図柄を変動させるとともに、遊技者によるストップボタンの押下操作に応じて、回転している図柄を停止表示させ、入賞役図柄の組合せが有効ライン上に停止表示された場合には、入賞役に応じた所定枚数のメダルをメダル払い出し口から払い出す。この場合、払い出されるメダルは、メダルホッパー内に貯留されているメダルが使用される。また、例えば、適正なメダル（正規メダル）ではなく適正でないメダル（不正メダル）が投入された場合には、この不正メダルはメダル払い出し口から返却するようにしている。
【０００４】
すなわち、パチスロ機の内部には、メダルの判別を行なうメダルセレクタと、このメダルセレクタに下流端が接続されたキャンセルシュートとを備えており、メダルセレクタは、メダル投入口から投入されたメダルが正規メダルの場合、この正規メダルをメダルホッパーに排出し、メダルの払い出し時には、入賞役に応じた所定枚数のメダルをメダルホッパーからキャンセルシュートを通じてメダル払い出し口から払い出す。一方、不正メダルや不要なメダルは、メダルセレクタのメダル返却通路を通じて、キャンセルシュータからキャンセルシュートの内部に落下させ、このキャンセルシュート内に落下したメダルはメダル払い出し口から返却される。
【０００５】
ここで、パチスロ機による遊技はメダルセレクタの内部に設けたメダル検出センサにより検出されたメダルの枚数（メダルカウント）に応じてリールを回転させるため、実際にメダルを投入しなくても、このメダル検出センサを誤作動させることができれば、メダルを使用することなく遊技を行なうことができる。また、クレジット枚数を満杯（最大、５０枚）にすることができる。このため、従来では、メダル検出センサの誤作動を目的とした不正用の特殊器具（例えば、「フレキシブル基板」などの不正部材）を使用した不正行為が行なわれることがある。また、パチスロ機内部の基板を不正基板に取り替えたり、電子部品の一部を不適正な部品と取り替えるなどの不正行為が行われることがある。
【０００６】
このような不正工具を使用した不正行為や基板（部品）の取り替えなどの不正行為を防止すべく、例えば、特許文献１には、光に発振を変調させ発光した光を受光して復調させることにより、メダルの検出を行ない、不正にメダルカウントを計上させるなどの不正工具の使用を対象とする不正行為を防止する遊技機について開示されている（特許文献１参照）。
【０００７】
【特許文献１】特開２００５−２７９２４２号公報
【発明の開示】
【発明が解決しようとする課題】
【０００８】
しかしながら、上述した特許文献１に記載の従来技術の場合には、不正部材がメダル検出センサにまで到達するのを確実に防止する対策としては、充分な対策とは言えない。さらに、従来の不正部材の使用による不正行為対策は、メダル投入口から挿入される不正部材を対象としているが、メダルが払い出されるメダル払い出し口から不正部材が挿入された場合の防御対策は何ら行なわれていないのが現状である。
【０００９】
すなわち、メダルセレクタとキャンセルシュート及びメダルホッパーとはメダルの通過経路が通じているため、例えば、メダル払い出し口から不正部材（例えば、針金など）をパチスロ機の内部に挿入させ、キャンセルシュートを通じてメダルセレクタ内に不正部材を侵入させることができれば、メダル検出センサを誤作動させるなどの不正行為やその他、メダルセレクタ内のメダルを掻き出してメダル払い出し口から取り出すなど何らかの不正行為を行なうことができる。
【００１０】
そこで、この発明は、上述した従来技術の課題を解決するためになされたものであり、第三者によるメダル払い出し口からの不正部材（針金）の挿入による不正行為を防止できる遊技機を提供することを目的とする。
【課題を解決するための手段】
【００１１】
上述した課題を解決し、目的を達成するため、請求項１に係る発明は、メダル投入口から投入されたメダルの真偽を判別するとともに、真と判別されたメダルを排出口からメダルホッパーに排出し、偽と判別されたメダルを返却口から返却するメダルセレクタと、当該メダルセレクタの下流端に接続され、前記メダルセレクタから返却されるメダル或いはメダルホッパーから払い出されるメダルをメダル払い出し口に排出させるメダルキャンセルシュートを備えた遊技機において、前記メダルキャンセルシュートから前記メダルセレクタに至る経路の途中には、前記メダル払い出し口を通じて挿入された不正部材が、前記経路を通じて前記メダルセレクタの内部に侵入することを阻止する阻止部材が設けられることを特徴とする。
【００１２】
本発明によれば、メダルキャンセルシュートからメダルセレクタに至る経路の途中には、メダル払い出し口を通じて挿入された不正部材が、経路を通じてメダルセレクタの内部に侵入することを阻止する阻止部材が設けられるので、この阻止部材によりメダル払い出し口を通じて挿入された不正部材が、メダルキャンセルシュートを通じてメダルセレクタの内部に侵入することを阻止することができ、これによって、メダルセレクタ内に不正部材が侵入することを防止することができる。
【００１３】
また、請求項２に係る発明は、上記の発明において、前記阻止部材は複数の阻止部材で構成され、前記複数の阻止部材のうちの一方の阻止部材は、前記メダルキャンセルシュートの内部に設けられることを特徴とする。
【００１４】
本発明によれば、阻止部材は複数の阻止部材で構成され、複数の阻止部材のうちの一方の阻止部材は、メダルキャンセルシュートの内部に設けられるので、メダル払い出し口を通じて挿入された不正部材が、メダルキャンセルシュート内でメダルセレクタが位置する方向に向かって移動する場合であっても、この阻止部材によりメダルセレクタ内に侵入することを阻止することができ、これにより、メダルセレクタに対する不正行為を防止することができる。
【００１５】
また、請求項３に係る発明は、上記の発明において、前記複数の阻止部材のうちの他方の阻止部材は、前記遊技機の前面ドアのベース部であって、前記メダルキャンセルシュートの取り付け位置と対向するベース部に設けられることを特徴とする。
【００１６】
本発明によれば、メダルキャンセルシュートの取り付け位置と対向するベース部には、複数の阻止部材のうちの他方の阻止部材が設けられるので、この阻止部材によりメダル払い出し口を通じて挿入された不正部材が、メダルキャンセルシュートの内部を通じてメダルセレクタの内部に侵入することを阻止することができる。
【００１７】
また、請求項４に係る発明は、上記の発明において、前記阻止部材には、前記メダルセレクタから案内されたメダルの落下方向に向けて傾斜する傾斜部が設けられることを特徴とする。
【００１８】
本発明によれば、阻止部材には、メダルセレクタから案内されたメダルの落下方向に向けて傾斜する傾斜部が設けられるので、不正部材がメダルセレクタ内に侵入することを阻止することができるうえ、阻止部材の傾斜部により、メダルを停留させることなく、スムーズにメダル払い出し口までガイドすることができる。
【００１９】
また、請求項５に係る発明は、上記の発明において、前記複数の阻止部材のうちの一方の阻止部材と他方の阻止部材とは、互いの配置場所が所定の間隔で上下に離隔するように配置されることを特徴とする。
【００２０】
本発明によれば、複数の阻止部材のうちの一方の阻止部材と他方の阻止部材とは、互いの配置場所が所定の間隔で上下に離隔するように配置されるので、不正部材をキャンセルシュートからメダルセレクタ内まで移動させ侵入させるためには、一方の阻止部材と他方の阻止部材との衝突を避けるためにキャンセルシュート内で不正部材を蛇行させる必要が生じるため、これにより、不正部材の使用による不正行為をより困難とすることができる。
【発明の効果】
【００２１】
本発明によれば、キャンセルシュートに第一の阻止部材を設けるとともに、キャンセルシュートの取り付け位置と対向する前面ドアベース部に第二の阻止部材を設けているので、メダル払い出し口から挿入された不正部材が、キャンセルシュートからメダルセレクタ内に侵入することを確実に防止することができる。
【発明を実施するための最良の形態】
【００２２】
以下に添付図面を参照して、本発明に係る遊技機の好適な実施例を詳細に説明する。なお、本発明はメダル、コイン、遊技球又はトークンなどを遊技媒体として用いる各種遊技機に適用することができるが、ここでは本発明をメダルを遊技媒体として用いるパチスロ機に適用した場合を示すこととする。
【実施例】
【００２３】
［パチスロ機１の全体構成］
先ず、図１及び図２を用いて、実施例に係るパチスロ機１の外観構成と内部構成について詳細に説明する。図１は、実施例に係るパチスロ機１の外観構成を示す斜視図を示している。図２は、前面ドアの内部構成の正面図を、図３は、パチスロ機１の内部構成の正面図をそれぞれ示している。
【００２４】
図１、２に示すように、パチスロ機１の全体を形成している筐体は、箱状のキャビネット１ａと、このキャビネット１ａの前部に形成した開口を開閉する前面ドア２とを備える。また、パチスロ機１の上部には、左右対称位置にスピーカ６Ｒ，６Ｌが設けられており、これらのスピーカ６Ｒ，６Ｌは、遊技時の演出に関する効果音や音声などによる演出音を出力するように構成されている。
【００２５】
図１に戻り、パチスロ機１の前面部には、略垂直面をなすパネル表示部２ａ及び液晶表示部２ｂが設けられている。パネル表示部２ａには、リール表示窓４Ｌ，４Ｃ，４Ｒが設けられ、このリール表示窓４Ｌ，４Ｃ，４Ｒには、水平方向にトップライン５ｂ、センターライン５ｃ及びボトムライン５ｄの表示ラインが設けられ、斜め方向にクロスアップライン５ａ及びクロスダウンライン５ｅの表示ラインが設けられる。
【００２６】
後述するように、遊技者がメダル投入口１２に１枚又は２枚のメダルを投入した場合には、それぞれ１本（センターライン５ｃ）又は３本（トップライン５ｂ、センターライン５ｃ及びボトムライン５ｄ）の表示ラインが有効となる。また、遊技者が３−ＢＥＴボタン１５を押下操作するか又は遊技者がメダル投入口１２に３枚のメダルを投入すると、５本の各ライン５ａ〜５ｅが有効となる。なお、これら各ライン５ａ〜５ｅは役の成否に関わる。また、液晶表示部２ｂは、パチスロ遊技時の各種演出や待機時のデモ表示などを行なう。
【００２７】
前面ドア２の背後には、複数種類の図柄が各々の外周面に描かれた３個のリール３Ｌ，３Ｃ，３Ｒが回転自在に横一列に設けられており、各リール３Ｌ，３Ｃ，３Ｒは、一定の速度（例えば、８０回転／分）で回転する。これら３個のリール３Ｌ，３Ｃ，３Ｒによりリールユニット３が構成される。各リール３Ｌ，３Ｃ，３Ｒは、リール表示窓４Ｌ，４Ｃ，４Ｒから目視することができ、各リール３Ｌ，３Ｃ，３Ｒが回転中であり、停止ボタン１８Ｌ，１８Ｃ，１８Ｒが押下操作可能である場合には、遊技者がリール３Ｌ，３Ｃ，３Ｒ上の図柄を視認できるように透過状態となる。
【００２８】
また、パネル表示部２ａ及び液晶表示部２ｂの下方には、略水平面をなす台座部１１が設けられている。この台座部１１の右側には、メダルを投入するためのメダル投入口１２が設けられており、このメダル投入口１２に投入されたメダルは、クレジットされるか又はゲームに賭けられる。
【００２９】
メダル投入口１２は、メダルセレクタ５５（図２）を構成するメダル通路（図示せず）に連絡されており、後述するように、このメダルセレクタ５５によりメダル投入口１２から投入されたメダルが正規メダルか不正メダルであるかをメダルの大きさや磁性特性などにより判別することができる。
【００３０】
また、台座部１１の左側には、クレジットされているメダルを賭けるための１枚賭け用の１−ＢＥＴボタン１３と、２枚賭け用の２−ＢＥＴボタン１４と、３枚賭け用の３−ＢＥＴボタン１５とが設けられている。３−ＢＥＴボタン１５は、所謂ＭＡＸ−ＢＥＴボタンであり、１回の押下操作によりクレジットされたメダルから１ゲームに賭け得る最大枚数のメダル（通常は３枚）が賭けられる。
【００３１】
かかる１−ＢＥＴボタン１３，２−ＢＥＴボタン１４，３−ＢＥＴボタン１５を押下操作するか若しくは３枚のメダルがメダル投入口１２に投入されると、所定のライン５ａ〜５ｅが有効化される。
【００３２】
台座部１１の前面部の左寄りには、遊技者がゲームで獲得したメダルをクレジットするか、クレジットしたメダルを払い出すかを押下操作で切り換えるＣ／Ｐボタン１６が設けられている。所定枚数のメダルがクレジットされた状態でＣ／Ｐボタン１６が押下されると、クレジットが無効化され該クレジットされた枚数分のメダルが正面下部に開口したメダル払い出し口２０からメダル受け部１９に投出される。
【００３３】
また、クレジットが無効化された状態でこのＣ／Ｐボタン１６が押下されると、クレジットが有効となる。このＣ／Ｐボタン１６の右側には、遊技者の操作によりリール３Ｌ〜３Ｒを回転駆動させるスタートレバー１７が所定の角度範囲で回動自在に取り付けられている。
【００３４】
台座部１１の前面部中央で、スタートレバー１７の右側には、３個のリール３Ｌ，３Ｃ，３Ｒの回転をそれぞれ停止させるための３個の停止ボタン１８Ｌ，１８Ｃ，１８Ｒが設けられている。なお、１ゲーム（単位遊技）は、スタートレバー１７が操作されることによって開始され、全てのリール３Ｌ，３Ｃ，３Ｒが停止したときに終了する。
【００３５】
また、パネル表示部２ａには、ボーナス回数表示部８、ＢＥＴランプ７ａ〜７ｃ、クレジット表示部９及び払出枚数表示部１０が設けられている。ボーナス回数表示部８は、７セグメントＬＥＤにより形成されておりボーナス中の遊技情報を表示する。
【００３６】
ＢＥＴランプ７ａ〜７ｃは、１ゲームを行なうために賭けられたメダル数（以下「ＢＥＴ数」と言う）に応じて点灯するランプであり、具体的には、１−ＢＥＴランプ７ａはＢＥＴ数が１の時に点灯し、２−ＢＥＴランプ７ｂはＢＥＴ数が２以上である場合に点灯し、３−ＢＥＴランプ７ｃはＢＥＴ数が３以上である場合に点灯する。
【００３７】
また、クレジット表示部９及び払出枚数表示部１０は、それぞれ７セグメントのＬＥＤにより形成され、クレジット表示部９にはクレジットされている残メダル枚数が表示される。ここで、通常は、パチスロ機１にクレジットされる最大枚数は５０枚であるので、このクレジット表示部９に表示されるクレジット枚数は５０以下となる。なお、最大枚数の５０枚のメダルがクレジットされている状態で、メダルを投入してもそのまま払い出される。また、払出枚数表示部１０には入賞が成立した時のメダル払出枚数が表示される。
【００３８】
図２に示すように、前面ドア２の片側（図２の左側）には、メダルセレクタ５５と、このメダルセレクタ５５の下流端に接続されたキャンセルシュート６０とが設けられている。メダルセレクタ５５は、メダル投入口１２から投入されたメダルが、メダルセレクタ５５の内部に形成されたメダル通路（図示せず）を通過する際に、メダルの真偽を判別し、正規メダルと判別されたメダルをカウントするとともに、メダルセレクタ５５の排出側に接続しているメダルホッパー２１（図３）に排出する。メダルホッパー２１は、メダルセレクタ５５から排出されたメダルを貯留する。
【００３９】
一方、メダルセレクタ５５により不正メダルと判別されたメダルは、メダルセレクタ５５の下方に設けたキャンセルシュータ５６に排出され、このキャンセルシュータ５６を通じて、キャンセルシュート６０の内部に落下する。
【００４０】
キャンセルシュート６０は、メダルセレクタ５５のキャンセルシュータ５６を通じて落下したメダルをメダル払い出し口２０から排出し返却する機能を備えている。また、このキャンセルシュート６０は、メダルホッパー２１(図３)から排出されるメダルをメダル払い出し口２０からメダル受け部１９に払い出す機能を備えている。
【００４１】
また、図３に示すように、キャビネット１ａの内部に設けたリールユニット３の下側には、メダルホッパー２１（メダル払出装置）が設置されている。このメダルホッパー２１は、メダルを貯留するホッパータンク２１ａと、このホッパータンク２１ａに貯留されたメダルを排出するホッパー本体２２とを有している。
【００４２】
また、このホッパー本体２２の内部には、メダル排出機構（図示せず）が設けられており、パチスロ遊技による遊技結果に応じて払い出されるメダルを排出ノズル２３を通じてキャンセルシュート６０（図２）に排出するように構成されている。
【００４３】
なお、ホッパー本体２２の排出ノズル２３から排出されたメダルは、キャンセルシュート６０から前面ドア２の下方部に開口したメダル払い出し口２０を介して、メダル受け部１９に払い出される。また、キャビネット１ａの底部の左側には、パチスロ機１のキャビネット１ａ内に装着された各部品に電力を供給する電源部２４が設けられている。
【００４４】
ここで、本実施例におけるパチスロ機１は、メダル払い出し口２０を通じて、キャンセルシュート６０からメダルセレクタ５５に至るまでのメダル経路（図４参照）の途中に、メダル払い出し口２０を通じて挿入された不正部材が、メダルセレクタ５５内に侵入することを阻止する第一の阻止部材６７（請求の範囲に記載の「一方の阻止部材」に対応する。）及び第二の阻止部材７２（請求の範囲に記載の「他方の阻止部材」に対応する。）を設けたことに特徴がある。
【００４５】
すなわち、図４に示すように、本実施例におけるパチスロ機１では、キャンセルシュート６０の所定位置に、メダル払い出し口２０から挿入された不正部材がメダルセレクタ５５内に侵入することを阻止する第一の阻止部材６７を設けている。
【００４６】
[キャンセルシュート６０の概要及び構成]
以下、図４、５及び図６を参照して、キャンセルシュート６０の構成及び第一の阻止部材６７について、詳細に説明する。図４は、メダルセレクタ５５及びキャンセルシュート６０の概要及び阻止部材（第一の阻止部材６７及び第二の阻止部材７２）を示す構成図を、図５は、キャンセルシュート６０の構成を示す斜視図を、図６は、キャンセルシュート６０の構成を示す平面図をそれぞれ示している。
【００４７】
図４に示すメダルセレクタ５５は、メダル投入口１２（図１）から投入されたメダルが、メダルセレクタ５５の内部に形成されたメダル通路（図示せず）を通過する際に、メダルの真偽を判別し、正規メダルと判別されたメダルをメダルセレクタ５５の排出口側に接続しているメダルホッパー２１（図１）に排出する。
【００４８】
一方、不正メダルと判別したメダルは、メダルセレクタ５５に形成したメダル返却通路（図示せず）を通じて、キャンセルシュータ５６内に排出する。また、キャンセルシュータ５６内に排出されたメダルは、メダルセレクタ５５の下方に接続されているキャンセルシュート６０の内部に落下し、以下、このメダルは、メダル払い出し口２０を通じて、メダル受け部１９に排出する。
【００４９】
図４及び図５に示すように、キャンセルシュート６０は、全体が略三角形型に成形された本体部６１と、この本体部６１の下方に位置し、矩形型に成形されたメダル払い出し部６２とから構成され、このキャンセルシュート６０は開口６３を閉塞するように、パチスロ機１の前面ドア２の後部側（メダルセレクタ５５の下方位置）に位置する前面ドアベース部８０に取り付け固定されている。
【００５０】
前面ドア２に対するキャンセルシュート６０の取り付け時に、このキャンセルシュート６０を構成するメダル払い出し部６２は、メダル払い出し口２０と対応する部分に配置される。
【００５１】
キャンセルシュート６０を構成する本体部６１の一方（図６の右側）は、メダルセレクタ５５のキャンセルシュータ５６から排出されメダル払い出し部６２に落下したメダルをメダル払い出し口２０（図４）までガイドするメダル返却経路６４を有している。
【００５２】
また、本体部６１の他方（図６の左側）は、メダルホッパー２１を構成するホッパータンク２１ａの排出ノズル２３から排出されるメダルをメダル受け入れ口６５を通じて、メダル払い出し部６２からメダル払い出し口２０（図４）までガイドするメダル払い出し経路６６を形成している。
【００５３】
すなわち、前面ドア２を閉塞した状態では、メダルホッパー２１（図３）のホッパータンク２１ａに形成されている排出ノズル２３とキャンセルシュート６０のメダル受け入れ口６５とは当接するようになっている。これにより、ホッパータンク２１ａの排出ノズル２３から排出されたメダルは、キャンセルシュート６０のメダル受け入れ口６５を通じて、このキャンセルシュート６０内のメダル払い出し部６２に落下することとなる。
【００５４】
また、キャンセルシュート６０の本体部６１のメダル返却経路６４側には、第一の阻止部材６７が設けられている。図５に示すように、第一の阻止部材６７は、キャンセルシュート６０の開口６３側に向けて突出するように設けられた突出板部６８と、突出板部６８の上部に固設された複数のリブ６９により構成されるている。これら複数のリブ６９はメダルセレクタ５５から排出され落下するメダルの落下方向に向けて傾斜するように形成されている。以下、第一の阻止部材６７の構成及び作用について、図７−１及び図７−２を参照して説明する。
【００５５】
図７−１は、パチスロ機１の前面ドア２に設けたキャンセルシュート６０の内部構成及び第一の阻止部材６７の配置を示す概略図である。また、図７−２は、メダル払い出し口２０から挿入された不正部材がパチスロ機１（キャンセルシュート６０）の内部に侵入する状態を示す図である。
【００５６】
すなわち、図７−１に示すように、キャンセルシュート６０の内部には、第一の阻止部材６７が設けられており、この第一の阻止部材６７を構成する突出板部６８には、傾斜する複数のリブ６９が設けられている。このため、このリブ６９によりメダルセレクタ５５から排出されたメダルは突出板部６８上で停留することなく、リブ６９の傾斜によりガイドされてメダル払い出し部６２まで落下し、メダル払い出し口２０から排出される。
【００５７】
また、図７−２に示すように、メダル払い出し口２０から不正部材が挿入された場合には、不正部材の侵入経路（メダル返却経路６４）には、第一の阻止部材６７が設けられているため、キャンセルシュート６０内を移動する不正部材は、第一の阻止部材６７を構成する突出板部６８により、その移動を阻止されることとなる。これにより、メダル払い出し口２０から挿入された不正部材がキャンセルシュート６０を通じて、メダルセレクタ５５内に到達することを防止することができる。
【００５８】
次に、上述したキャンセルシュート６０に設けた第一の阻止部材６７と同様に、キャンセルシュート６０を通じて、メダルセレクタ５５内への侵入を阻止する第二の阻止部材７２について説明する。図８は、キャンセルシュート６０の構成及び第二の阻止部材７２の配置状態を示す説明図を示している。また、図９は、前面ドア２及びキャンセルシュート６０の内部を示す側面図を示している。
【００５９】
すなわち、図８及び図９に示すように、キャンセルシュート６０の取り付け位置と対向する前面ドアベース部８０には、第一の阻止部材６７と同様に、不正部材の侵入を阻止する第二の阻止部材７２を設けている。
【００６０】
同図に示すように、第二の阻止部材７２は、略三角型に形成されるとともに、この第二の阻止部材７２は、キャンセルシュート６０の本体部６１のメダル返却経路６４（図６）の途中位置に対向するとともに、第一の阻止部材６７の配置よりも間隔Ｔ（図１０−１）を空けた下方位置に取り付け固定されている。
【００６１】
また、この第二の阻止部材７２は、傾斜部７３を設けており、この傾斜部７３により、メダルセレクタ５５から排出されるメダルを、第二の阻止部材７２上で停留させることなく、スムーズにメダル払い出し口２０まで案内する構成としている。
【００６２】
なお、本実施例では、第二の阻止部材７２に傾斜部７３を設ける構成としているが、傾斜部７３を設けることなく、この第二の阻止部材７２を前面ドアベース部８０に対して、傾斜するように取り付け固定するようにしてもよい。
【００６３】
次に、図１０−１及び図１０−２を参照して、パチスロ機１の内部に備えた第一の阻止部材６７及び第二の阻止部材７２の配置状態を説明する。図１０−１は、上述したキャンセルシュート６０に設けた第一の阻止部材６７と前面ドア２の前面ドアベース部８０に設けた第二の阻止部材７２の配置状態を示す説明図である。また、図１０−２は、メダル払い出し口２０から不正部材が挿入された状態を示す説明図である。
【００６４】
すなわち、図１０−１に示すように、キャンセルシュート６０をパチスロ機１の前面ドアベース部８０に取り付けた状態では、キャンセルシュート６０に設けた第一の阻止部材６７と前面ドアベース部８０に設けた第二の阻止部材７２とは上下方向に間隔Ｔを空けて交互に配置されるように構成されている。
【００６５】
このため、同図に示すように、メダルセレクタ５５から排出されたメダルは、第一の阻止部材６７のリブ６９によりガイド及び第二の阻止部材７２の傾斜部７３によりメダル払い出し部６２まで落下し、メダル払い出し口２０から排出される。
【００６６】
ここで、図１０−２に示すように、メダル払い出し口２０からキャンセルシュート６０の内部に不正部材が挿入された場合には、前述したように、第一の阻止部材６７と第二の阻止部材７２とは上下方向に間隔Ｔを空けて交互に配置されているため、両阻止部材６７、７２を避けて不正部材をメダルセレクタ５５が設けられる位置まで到達させるには、交互に配置された両阻止部材６７、７２との衝突を避けるために、不正部材を蛇行させるなど面倒な操作を行なう必要が生じる。これにより、第一の阻止部材６７と第二の阻止部材７２とを上下方向に間隔Ｔを空けて交互に配置した場合には、不正部材の使用による不正行為の実行をより困難とすることができる。
【００６７】
［パチスロ機１の電気的構成：主制御回路７０］
次に、図１１を参照して、図１に示したパチスロ機１の電気的構成について説明する。図１１は、実施例に係るパチスロ機１の電気的構成（電気回路）を示すブロック図を示している。同図に示すように、パチスロ機１を構成する電気回路は、パチスロ機１の遊技処理動作を全体的に制御する主制御回路７０と、この主制御回路７０に電気的に接続される各種の周辺装置（アクチュエータ）と、主制御回路７０から送信される制御指令に基づいて液晶表示部２ｂとスピーカ６Ｌ，６ＲとＬＥＤ類２０１及びランプ類２０２を制御する副制御回路７１とが含まれる。主制御回路７０と各種の制御基板及び各種の周辺装置（アクチュエータ）は、Ｉ／Ｏポート３８を介して、電気的に各種信号を入出力可能に接続されている。
【００６８】
主制御回路７０は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＡＭ３２とＲＯＭ３３とを有する。
【００６９】
ＣＰＵ３１には、基準クロックパルスを発生するクロックパルス発生回路３４及び分周器３５と、サンプリングされる乱数を発生する乱数発生器３６及びサンプリング回路３７とが接続されている。
【００７０】
乱数発生器３６は、一定の数値範囲に属する乱数を発生し、サンプリング回路３７は、スタートレバー１７が操作された後の適宜のタイミングで乱数をサンプリングする。こうしてサンプリングされた乱数を使用することにより、例えば、ＲＯＭ３３内に格納されている確率抽籤テーブルなどに基づいて内部当籤役などが決定される。なお、マイクロコンピュータ３０内のＣＰＵ３１上で乱数サンプリング用プログラムを実行してソフトウエア的に乱数サンプリングを行うこともできる。この場合、乱数発生器３６及びサンプリング回路３７を省略することができる。
【００７１】
マイクロコンピュータ３０のＲＯＭ３３には、副制御回路７１へ送信するための各種制御指令及びスタートレバー１７を操作（スタート操作）する毎に行われる乱数サンプリングの判定に用いられる確率抽籤テーブルや停止用当籤役決定テーブル、停止ボタン１８Ｌ，１８Ｃ，１８Ｒの操作に応じてリールの停止態様を決定するための停止テーブル群などが格納されている。
【００７２】
なお、副制御回路７１が主制御回路７０へ制御指令や情報等を入力することはなく、主制御回路７０から副制御回路７１への一方向で通信が行われる。
【００７３】
さらに、このＲＯＭ３３内には、表示役に対応する各種の図柄の組合せと、メダルの配当枚数と、その入賞（成立）を表わす入賞判定コード（成立判定コード）とが対応付けられた表示役特定テーブルが格納されている。この表示役特定テーブルは、左のリール３Ｌ，中央のリール３Ｃ，右のリール３Ｒの停止制御時並びに全リール３Ｌ，３Ｃ，３Ｒの停止後の表示役の確認を行なう際に参照される。
【００７４】
表示役（表示役データ）は、有効ラインに沿って並ぶ図柄組合せに対応する役（成立役）であり、遊技者にはこの表示役に対応する利益が付与される。また、ＲＡＭ３２には、パチスロ機１の入賞に係わる内部当籤役、持越役、現在の遊技状態などの種々の情報が格納される。
【００７５】
マイクロコンピュータ３０からの制御信号により動作が制御される主要なアクチュエータとしては、ＢＥＴランプ（１−ＢＥＴランプ７ａ、２−ＢＥＴランプ７ｂ、３−ＢＥＴランプ７ｃ）と、ボーナス回数表示部８、クレジット表示部９、払出枚数表示部１０などの表示部と、メダルを収納しホッパー駆動回路４６の命令により所定枚数のメダルを払出すメダルホッパー２１（払出しのための駆動部を含む）と、リール３Ｌ，３Ｃ，３Ｒを回転駆動するステッピングモータ４９Ｌ，４９Ｃ，４９Ｒとがある。
【００７６】
また、ステッピングモータ４９Ｌ，４９Ｃ，４９Ｒを駆動制御するモータ駆動回路５０、メダルホッパー２１を駆動制御するホッパー駆動回路４６、ＢＥＴランプ（１−ＢＥＴランプ７ａ、２−ＢＥＴランプ７ｂ、３−ＢＥＴランプ７ｃ）を駆動制御するランプ駆動回路４５並びにボーナス回数表示部８、クレジット表示部９、払出枚数表示部１０などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００７７】
また、マイクロコンピュータ３０へは、スタートスイッチ１７Ｓ、ＢＥＴスイッチ（１−ＢＥＴスイッチ１３Ｓ、２−ＢＥＴスイッチ１４Ｓ、３−ＢＥＴスイッチ１５Ｓ）、リール位置検出回路４９、払出完了信号回路４７から入力信号が入力され、これらに基づいて制御指令が発生される。
【００７８】
スタートスイッチ１７Ｓは、スタートレバー１７の操作を検出するスイッチであり、メダルセンサ１２Ｓは、メダル投入口１２に投入されたメダルを検出するセンサである。ＢＥＴスイッチ１３Ｓ，１４Ｓ，１５Ｓは、１−ＢＥＴボタン１３，２−ＢＥＴボタン１４，３−ＢＥＴボタン１５の背面に設けられ各１−ＢＥＴボタン１３，２−ＢＥＴボタン１４，３−ＢＥＴボタン１５の操作に応じて信号を発生するスイッチである。
【００７９】
Ｃ／Ｐスイッチ１６Ｓは、Ｃ／Ｐボタン１６の背面に設けられＣ／Ｐボタン１６の操作に応じて信号を発生するスイッチである。リール位置検出回路４９は、リール回転センサからのパルス信号を受けて各リール３Ｌ，３Ｃ，３Ｒの位置を検出するための信号をＣＰＵ３１へ供給する回路である。払出完了信号回路４７は、メダルホッパー２１から払出されたメダルの枚数が指定された枚数データに達した時にメダル払出完了を示す信号を発生する。
【００８０】
リール３Ｌ，３Ｃ，３Ｒの回転が開始された後、ステッピングモータ４９Ｌ，４９Ｃ，４９Ｒの各々に供給される駆動パルスの数が計数され、その計数値がＲＡＭ３３ａの所定エリアに書き込まれる。
【００８１】
リール３Ｌ，３Ｃ，３Ｒからは一回転毎にリセットパルスが得られ、これらのパルスはリール位置検出回路４９を介してＣＰＵ３１に入力される。このようにして得られたリセットパルスにより、ＲＡＭ３２で計数されている駆動パルスの計数値が“０”にクリアされる。これにより、ＲＡＭ３２内には、各リール３Ｌ，３Ｃ，３Ｒについて一回転の範囲内における回転位置に対応した計数値が格納される。
【００８２】
上記のようなリール３Ｌ，３Ｃ，３Ｒの回転位置とリール外周面上に描かれた図柄とを対応づけるために、図柄テーブル（図示せず）が、ＲＯＭ３３内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応付けられている。
【００８３】
ＣＰＵ３１は、上記乱数サンプリングに基づく抽籤処理（確率抽籤処理など）により内部当籤役や停止用当籤役を決定したならば、遊技者が停止ボタン１８Ｌ，１８Ｃ，１８Ｒを操作したタイミングで停止スイッチ１８ＬＳ，１８ＣＳ，１８ＲＳから送られる操作信号並びに決定された停止テーブルに基づいて、リール３Ｌ，３Ｃ，３Ｒを停止制御する信号をモータ駆動回路５０に送出する。
【００８４】
ただし、遊技者によるコマンドの入力を受け付ける場合には、ＣＰＵ３１は、遊技者が停止ボタン１８Ｌ，１８Ｃ，１８Ｒを操作したとしても、リール３Ｌ，３Ｃ，３Ｒを停止制御する信号をモータ駆動回路５０に送出しない。
【００８５】
また、ＣＰＵ３１は、当籤した役の入賞を示す停止態様（即ち入賞態様）になれば、払出指令信号をホッパー駆動回路４６に供給してメダルホッパー２１から所定枚数のメダルの払出を行う。払出完了信号回路４７は、 メダル検出部２１Ｓの計数値（メダルホッパー２１から払い出されたメダルの枚数）が指定された枚数データに達した時、メダル払出完了信号を検知するための信号を発生する。
【００８６】
すなわち、メダル検出部２１Ｓは、メダルホッパー２１から払出されるメダルの枚数を計数し、その計数値が指定された数に達した時にメダル払出完了信号を、払出完了信号回路４７を介して、ＣＰＵ３１に入力される。これにより、ＣＰＵ３１は、ホッパー駆動回路４６を介してメダルホッパー２１の駆動を停止し、メダル払出処理を終了することになる。
【００８７】
[発明の効果]
上述してきたように、本発明によれば、キャンセルシュート６０を構成する本体部６１の所定位置に、第一の阻止部材６７を設けるとともに、キャンセルシュート６０の取り付け位置と対向する前面ドアベース部８０に第二の阻止部材７２を設けているので、メダル払い出し口２０から挿入された不正部材が、キャンセルシュート６０を通じてメダルセレクタ５５内に侵入することを防止することができる。
【００８８】
[他の実施例]
さて、これまで本発明の実施例について説明したが、本発明は上述した実施例以外にも、種々の異なる形態にて実施されてよいものである。すなわち、前述した実施例で示すパチスロ機１では、メダルセレクタ５５の内部に不正部材が侵入することを防止するために、メダルセレクタ５５とキャンセルシュート６０との経路（メダル返却経路６４）に、不正部材の侵入を阻止する阻止部材（第一の阻止部材６７及び第二の阻止部材７２）を設ける構成としているが、これに限らず、不正部材がキャンセルシュート６０、メダル払い出し経路６６、メダル受け入れ口６５、排出ノズル２３を通じて、メダルホッパー２１内に侵入することを阻止する構成としてもよい。
【００８９】
具体的には、メダル払い出し口２０から挿入された不正部材がメダルホッパー２１に至るまでの経路の途中に、実施例で使用した第一の阻止部材６７と同様の阻止部材を設け、実施例と同様に、この阻止部材により不正部材の侵入を阻止するようにする。この場合、例えば、不正部材によりメダルホッパー２１内に貯留されているメダルを掻き出してメダル払い出し口２０から取り出すなどの不正行為を防止することができる。
【産業上の利用可能性】
【００９０】
以上のように、本発明に係る遊技機は、第三者によるメダル払い出し口から挿入される不正部材（針金）の使用による不正行為を防止できる遊技機に適する。
【図面の簡単な説明】
【００９１】
【図１】実施例に係るパチスロ機の外観構成を示す斜視図である。
【図２】実施例に係る前面ドアの構成を示す正面図である。
【図３】実施例に係るパチスロ機の内部構成を示す正面図である。
【図４】メダルセレクタ及びキャンセルシュートの概要及び阻止部材（第一の阻止部材、第二の阻止部材）の配置例を示す構成図である。
【図５】キャンセルシュートの構成を示す斜視図である。
【図６】キャンセルシュートの構成を示す平面図である。
【図７−１】キャンセルシュートの内部構成及び第一の阻止部材の配置を示す概略図である。
【図７−２】不正部材がキャンセルシュートの内部に侵入する状態を示す図である。
【図８】キャンセルシュートの構成及び第二の阻止部材の配置状態を示す図である。
【図９】前面ドア及びキャンセルシュートの内部を示す側面図である。
【図１０−１】キャンセルシュートに設けた第一の阻止部材と前面ドアの前面ドアベース部に設けた第二の阻止部材の配置状態を示す説明図である。
【図１０−２】メダル払い出し口から不正部材が挿入された状態を示す説明図である。
【図１１】主制御基板の構成を示す機能ブロック図である。
【符号の説明】
【００９２】
１  パチスロ機
２  前面ドア
３Ｌ，３Ｃ，３Ｒ  リール
６Ｒ，６Ｌ  スピーカ
１１  台座部
１２  メダル投入口
１６  Ｃ／Ｐボタン
１７  スタートレバー
１８Ｌ，１８，１８Ｒ  停止ボタン
１９  メダル受け部
２０  メダル払い出し口
２３  排出ノズル
５５  メダルセレクタ
５６  キャンセルシュータ
６０  キャンセルシュート
６１  本体部
６２  メダル払い出し部
６３  開口部
６４  メダル返却経路
６５  メダル受け入れ口
６６  メダル払い出し経路
６７  第一の阻止部材
６８  突出板部
６９  リブ
７２  第二の阻止部材
７３  傾斜部
８０  前面ドアベース部
【図１】
2007313249.tif 000003
【図２】
2007313249.tif 000004
【図３】
2007313249.tif 000005
【図４】
2007313249.tif 000006
【図５】
2007313249.tif 000007
【図６】
2007313249.tif 000008
【図７−１】
2007313249.tif 000009
【図７−２】
2007313249.tif 000010
【図８】
2007313249.tif 000011
【図９】
2007313249.tif 000012
【図１０−１】
2007313249.tif 000013
【図１０−２】
2007313249.tif 000014
【図１１】
2007313249.tif 000015